(57)【要約】【課題】パーミング時の手の平のフィット感を向上させることができる両軸受リールを提供する。【解決手段】ハンドル２１側に位置する第一の側壁部３１と、ハンドル２１とは反対側に位置する第二の側壁部３２との間にスプール２２を備えた、釣竿に装着される両軸受リール１であって、第二の側壁部３２の後端部に、第一の側壁部３１よりも後側に延びて、パーミング時に手の平を支持するためのサポート壁部５１を備えており、第二の側壁部３２とは別部材の構成であって第二の側壁部３２に取り付けられたサポート部材５０を備え、該サポート部材５０がサポート壁部５１を有している。【選択図】図１
2019180375.tif 000002
【特許請求の範囲】
【請求項１】
ハンドル側に位置する第一の側壁部と、ハンドルとは反対側に位置する第二の側壁部との間にスプールを備えた、釣竿に装着される両軸受リールであって、
第二の側壁部の後端部に、第一の側壁部よりも後側に延びて、パーミング時に手の平を支持するためのサポート壁部を備えていることを特徴とする両軸受リール。
【請求項２】
第二の側壁部とは別部材の構成であって第二の側壁部に取り付けられたサポート部材を備え、該サポート部材がサポート壁部を有している請求項１記載の両軸受リール。
【請求項３】
第二の側壁部は、スプール側に位置する内側部材と、スプールとは反対側に位置する外側部材とを備え、
サポート部材は、第二の側壁部に取り付けるための取付部を有し、該取付部は、サポート壁部から突出しており、
取付部は、内側部材と外側部材との境界部から第二の側壁部の内部に入り込んでいる請求項２記載の両軸受リール。
【請求項４】
サポート部材は、互いに離間した第一の取付部と第二の取付部とを有し、スプールの軸線方向に沿ってサポート部材を見たとき、第一の取付部の突出方向と第二の取付部の突出方向とは互いに非平行である請求項３記載の両軸受リール。
【発明の詳細な説明】
【技術分野】
【０００１】
本発明は、両軸受リールに関する。
【背景技術】
【０００２】
両軸受リールは、ハンドル側に位置する第一の側壁部と、ハンドルとは反対側に位置する第二の側壁部とを備えている。両軸受リールを釣竿に取り付けた状態で、第二の側壁部側から両軸受リールと釣竿をまとめて把持して釣りを行うことがある。このような把持の状態をパーミングと称する。このパーミング時には、ハンドルを持つ手とは反対の手で両軸受リールを釣竿をまとめて握る。例えば、右側ハンドル仕様の両軸受リールの場合には左手で両軸受リールを釣竿をまとめて握る。しかしながら、第二の側壁部が釣竿から側方に離れているため、パーミング時に、手の平と両軸受リール及び釣竿との間に空間が生じやすい。
【先行技術文献】
【特許文献】
【０００３】
【特許文献１】特開２００３−１４４０２１号公報
【発明の概要】
【発明が解決しようとする課題】
【０００４】
本発明は、パーミング時の手の平のフィット感を向上させることができる両軸受リールを提供することを課題とする。
【課題を解決するための手段】
【０００５】
本発明に係る両軸受リールは、ハンドル側に位置する第一の側壁部と、ハンドルとは反対側に位置する第二の側壁部との間にスプールを備えた、釣竿に装着される両軸受リールであって、第二の側壁部の後端部に、第一の側壁部よりも後側に延びて、パーミング時に手の平を支持するためのサポート壁部を備えていることを特徴とする。尚、竿先側を前側とし、竿尻側を後側とする。
【０００６】
この構成によれば、第二の側壁部の後端部にサポート壁部が後側に向けて延びている。そのため、パーミング時に手の平がサポート壁部に当接し、手の平との密着性が高まる。
【０００７】
特に、第二の側壁部とは別部材の構成であって第二の側壁部に取り付けられたサポート部材を備え、該サポート部材がサポート壁部を有していることが好ましい。該構成によれば、サポート壁部が第二の側壁部とは別部材であるため、サポート壁部の設計自由度が高まる。
【０００８】
更に、第二の側壁部は、スプール側に位置する内側部材と、スプールとは反対側に位置する外側部材とを備え、サポート部材は、第二の側壁部に取り付けるための取付部を有し、該取付部は、サポート壁部から突出しており、取付部は、内側部材と外側部材との境界部から第二の側壁部の内部に入り込んでいることが好ましい。該構成によれば、サポート部材の取付部が第二の側壁部の内部に位置しているので、取付部が第二の側壁部の外部に位置する構成に比して、取付部が目立たず、また、手の平にも当たりにくい。更に、取付部が内側部材と外側部材との境界部から第二の側壁部の内部に入り込んでいるので、取付部を第二の側壁部の内部に容易に位置させることができる。
【０００９】
更に、サポート部材は、互いに離間した第一の取付部と第二の取付部とを有し、スプールの軸線方向に沿ってサポート部材を見たとき、第一の取付部の突出方向と第二の取付部の突出方向とは互いに非平行であることが好ましく、サポート部材の安定した取付状態が得られる。
【発明の効果】
【００１０】
本発明に係る両軸受リールによれば、パーミング時の手の平のフィット感を向上させることができる。
【図面の簡単な説明】
【００１１】
【図１】本発明の一実施形態における両軸受リールをリールシートに取り付けた状態を示す斜視図。
【図２】同両軸受リールをリールシートに取り付けた状態を左側から見た図。
【図３】同両軸受リールをリールシートに取り付けた状態を示す平面図。
【図４】同両軸受リールをリールシートに取り付けた状態を後側から見た図。
【図５】同両軸受リールの第二のサイドカバーを外面側から見た図であって、サポート部材が取り付けられる前の状態を示す。
【図６】同第二のサイドカバーを外面側から見た斜視図であって、サポート部材が取り付けられる前の状態を示す。
【図７】同第二のサイドカバーを内面側から見た斜視図であって、サポート部材が取り付けられる前の状態を示す。
【図８】同第二のサイドカバーを外面側から見た正面図であって、サポート部材が取り付けられた状態を示す。
【図９】同第二のサイドカバーを内面側から見た図であって、サポート部材が取り付けられた状態を示す。
【図１０】同第二のサイドカバーの平面図であって、サポート部材が取り付けられた状態を示す。
【図１１】本発明の他の実施形態における両軸受リールの第二のサイドカバーを外面側から見た斜視図であって、サポート部材が取り付けられる前の状態を示す。
【図１２】同第二のサイドカバーを内面側から見た斜視図であって、サポート部材が取り付けられる前の状態を示す。
【図１３】同第二のサイドカバーを内面側から見た図であって、サポート部材が取り付けられた状態を示す。
【発明を実施するための形態】
【００１２】
以下、本発明の一実施形態に係る両軸受リールについて図１〜図１０を参酌しつつ説明する。両軸受リール１は、釣竿に装着される。具体的には、釣竿は、リールシート２を備えており、両軸受リール１は、釣竿のリールシート２に装着される。図１〜図４に、本実施形態に係る両軸受リール１をリールシート２に取り付けた状態を示している。両軸受リール１は、リールシート２の上側に取り付けられる。尚、リールシート２は一例であって、本実施形態では、筒状のリールシート２であるが、リールシート２は種々のものであってよい。
【００１３】
リールシート２は、釣竿の竿本体３（ブランク）の外側に取り付けられる。リールシート２は、筒状のリールシート本体１０と、図示しないナットと、可動フード１１とを備えている。リールシート本体１０の中心線は竿本体３の中心線と一致する。リールシート本体１０の中心線の方向を前後方向と称し、竿先側を前側とし、竿尻側を後側とする。図２及び図３に前側を矢印Ｘ１で示し、後側を矢印Ｘ２で示している。また、リールシート２に対して両軸受リール１が位置する側を上側とし、それとは反対側を下側とする。図２に上側を矢印Ｙ１で示し、下側を矢印Ｙ２で示している。また、図３のように上側から見たときの平面視において、前後方向と直交する方向を左右方向とする。後述のスプール２２の回転軸線方向は左右方向となる。左右の向きは、竿尻側かた見たときの向きとする。図３に左側を矢印Ｚ１で示し、右側を矢印Ｚ２で示している。
【００１４】
リールシート本体１０は、図示しないリール脚載置部と、固定フード部１４と、雄ネジ部１５と、トリガー１６とを備えている。リール脚載置部は、両軸受リール１のリール脚３０ａを載置するための部分であって、リールシート本体１０の上面に形成されている。リールシート本体１０の上面であってリール脚３０ａ載置部１３の後側の位置に固定フード部１４が形成されている。固定フード部１４は、リール脚３０ａの後端部を保持するための部分であって、固定フード部１４には、リール脚３０ａの後端部が前側から挿入される。
【００１５】
リールシート本体１０の前部外周面に雄ネジ部１５が形成されている。雄ネジ部１５に、図示しないナットが螺合する。ナットの後側に可動フード１１が位置し、可動フード１１はリールシート本体１０に対して前後方向に移動可能であるが回転不能である。可動フード１１にリール脚３０ａの前端部が相対的に後側から挿入される。可動フード１１と固定フード部１４とでリール脚３０ａを前後に狭持して固定する。リールシート本体１０の下面の後部にトリガー１６が形成されている。トリガー１６はその前側に指を引っ掛けるためのものである。尚、可動フード１１とナットがリール脚載置部の前側ではなく後側に位置し、固定フード部１４がリール脚載置部の前側に位置していてもよい。
【００１６】
両軸受リール１は、リール本体２０と、ハンドル２１と、スプール２２とを備えている。ハンドル２１は、リール本体２０に回転可能に取り付けられている。スプール２２はリール本体２０に回転可能に支持されている。図２〜図４では、スプール２２の図示を省略している。図２及び図４では、ハンドル２１の図示を省略している。スプール２２の回転軸線の方向が左右方向である。以下、両軸受リール１の説明においてスプール２２の回転軸線の方向を単に軸線方向と称する。また、軸線方向の内側はスプール２２側であり、軸線方向の外側はスプール２２から離れる側である。
【００１７】
リール本体２０は、第一の側壁部３１と、第二の側壁部３２と、連結部３０とを有している。第一の側壁部３１と第二の側壁部３２は、互いに左右方向に所定距離離間している。第一の側壁部３１にハンドル２１が回転可能に取り付けられている。本実施形態では、右ハンドル仕様であるが、左ハンドル仕様であってもよい。第一の側壁部３１と第二の側壁部３２との間にスプール２２が配置されている。スプール２２は、第一の側壁部３１と第二の側壁部３２とに回転可能に支持されている。連結部３０は、第一の側壁部３１と第二の側壁部３２とを左右方向に連結する。連結部３０に、両軸受リール１をリールシート２に取り付けるためのリール脚３０ａが設けられている。リール脚３０ａは前後に延びており、その前端部と後端部がリールシート２の可動フード１１と固定フード部１４によって前後に狭持される。
【００１８】
リール本体２０は、複数の部材により構成されている。リール本体２０は、一体形成されたフレーム４０と、第一のサイドカバー４１と、第二のサイドカバー４２とを備えている。フレーム４０は、第一の内壁部４０ａと、第二の内壁部４０ｂと、第一の内壁部４０ａと第二の内壁部４０ｂとを左右に連結する連結部４０ｃとを有している。フレーム４０の連結部４０ｃがリール本体２０の連結部３０の全部又は一部を構成している。
【００１９】
第一の側壁部３１は、互いに別部材構成とされた、軸線方向内側に位置する内側部材と軸線方向外側に位置する外側部材とを有しており、内側部材と外側部材とが互いに接合されることにより第一の側壁部３１が形成されている。第一の側壁部３１の内側部材は、フレーム４０の第一の内壁部４０ａであり、第一の側壁部３１の外側部材は第一のサイドカバー４１である。第一の側壁部３１の内側面３１ａは、フレーム４０の第一の内壁部４０ａにより構成され、第一の側壁部３１の外側面３１ｂは、第一のサイドカバー４１によって構成される。第一のサイドカバー４１は、フレーム４０の第一の内壁部４０ａの軸線方向外側に取り付けられる。
【００２０】
同様に、第二の側壁部３２は、互いに別部材構成とされた、軸線方向内側に位置する内側部材と軸線方向外側に位置する外側部材とを有しており、内側部材と外側部材とが互いに接合されることにより第二の側壁部３２が形成されている。第二の側壁部３２の内側部材は、フレーム４０の第二の内壁部４０ｂであり、第二の側壁部３２の外側部材は第二のサイドカバー４２である。第二の側壁部３２の内側面３２ａは、フレーム４０の第二の内壁部４０ｂにより構成され、第二の側壁部３２の外側面３２ｂは、第二のサイドカバー４２によって構成される。第二のサイドカバー４２は、フレーム４０の第二の内壁部４０ｂの軸線方向外側に取り付けられる。第二のサイドカバー４２とフレーム４０の第二の内壁部４０ｂとの間の境界部４３は、第二のサイドカバー４２とフレーム４０の第二の内壁部４０ｂとが互いに接合された接合部である。接合部は第二の側壁部３２の表面に現れている。第二の側壁部３２の後端面３２ｃには、接合部である境界部４３が現れている。この境界部４３は、第二の側壁部３２の後端面３２ｃにおいて、上下方向に沿って延びている。
【００２１】
第二の側壁部３２にサポート部材５０が取り付けられている。図中、サポート部材５０には多数のドットを付して示している。サポート部材５０は、第二の側壁部３２に取り付けるための取付部５２，５３と、パーミング時に手の平を支持するためのサポート壁部５１とを有している。第二の側壁部３２への取付状態において、取付部５２，５３は第二の側壁部３２の内部に位置し、サポート壁部５１は第二の側壁部３２の外部に位置している。本実施形態において、サポート部材５０は、薄肉で外面側に湾曲した板状であり、軸線方向外側に向けて膨出した形状である。但し、サポート部材５０は、ブロック状であってもよい。
【００２２】
サポート壁部５１は、第二の側壁部３２の後側に位置している。第二の側壁部３２の後端面３２ｃの直後にサポート壁部５１が接近した状態又は当接した状態で位置している。サポート壁部５１が第二の側壁部３２の直後に位置していることにより、第二の側壁部３２は局所的に後側に延長されている。サポート部材５０が取り付けられていない状態において、第一の側壁部３１の後端部の前後方向の位置と第二の側壁部３２の後端部の前後方向の位置は互いに略同じである。第二の側壁部３２にサポート部材５０が取り付けられて、第二の側壁部３２の後側にサポート壁部５１が位置することにより、第二の側壁部３２は第一の側壁部３１よりも後側に延びている。
【００２３】
図３のような平面視において、第一の側壁部３１と第二の側壁部３２は、ぞれぞれリールシート２よりも右側と左側に突出している。即ち、平面視において、第一の側壁部３１と第二の側壁部３２は、リールシート２よりも側方にはみ出している。そのため、平面視において、第一の側壁部３１の後端部とリールシート２の右側面との間には段差が生じており、同様に、第二の側壁部３２の後端部とリールシート２の左側面との間には段差が生じている。第二の側壁部３２の後端部における第二の側壁部３２とリールシート２との間の段差がサポート壁部５１によって緩和される。サポート壁部５１は、第二の側壁部３２の後側であって軸線方向内側に偏心して位置している。従って、サポート壁部５１の外面は第二の側壁部３２の外側面３２ｂよりも軸線方向内側に位置している。第二の側壁部３２の外側面３２ｂからサポート壁部５１の外面、サポート壁部５１の外面からリールシート２の左側面というように、後側に向けて段階的に軸線方向内側に位置していく。
【００２４】
サポート壁部５１の前端面５１ａは、第二の側壁部３２の内側面３２ａよりも軸線方向内側には突出していない。平面視において、サポート壁部５１の前端面５１ａの内縁の左右方向の位置は、第二の側壁部３２の内側面３２ａの左右方向の位置と略等しい。一方、サポート壁部５１の後端面５１ｂは、第二の側壁部３２の内側面３２ａよりも軸線方向内側に突出して延びており、サポート壁部５１の後端面５１ｂの内縁は、リールシート本体１０の表面近傍に位置している。
【００２５】
また、図２のように、左側から軸線方向に両軸受リール１を見たとき、サポート壁部５１は、第二の側壁部３２の後側であって下側寄りに位置している。第二の側壁部３２の後端面３２ｃは、後側に向けて突出するように湾曲した湾曲面となっている。サポート壁部５１の前端面５１ａは、第二の側壁部３２の後端面３２ｃに沿って凹状に湾曲している。第二の側壁部３２は、最下部３２ｄから最後部３２ｅまで弧状に湾曲しつつ上昇しており、サポート壁部５１の前端面５１ａは、第二の側壁部３２の最下部３２ｄから最後部３２ｅまでの湾曲形状に沿って湾曲しつつ延びている。即ち、サポート壁部５１は、第二の側壁部３２の最下部３２ｄから最後部３２ｅ近傍までの領域の直後に位置すると共にその領域から後側に向けて延びている。サポート壁部５１の前端面５１ａは、第二の側壁部３２の後端面３２ｃに当接することが好ましい。
【００２６】
サポート壁部５１は内方延在部５４を備えている。内方延在部５４は、サポート壁部５１の下端面５１ｃから後端面５１ｂの範囲を内側に延長するように軸線方向内側に向けて延びている。内方延在部５４は、サポート壁部５１とリールシート本体１０との間の隙間を埋めるようにリールシート本体１０に向けて延びている。図４のように、後側から両軸受リール１を見たとき、内方延在部５４の内縁５４ａは、リールシート本体１０の側面上部の形状に対応してそれに近接すべく、上側ほど軸線方向内側となるように傾斜している。内方延在部５４の上縁５４ｂの高さは、固定フード部１４の高さと略等しいことが好ましく、スプール２２に当てる親指の邪魔になりにくい。
【００２７】
サポート部材５０は、第二の側壁部３２に取り付けられる。具体的には、サポート部材５０は、第二の側壁部３２に取り付けるための第一の取付部５２と第二の取付部５３とを有している。両取付部５２，５３は、何れも、サポート壁部５１の前端面５１ａから突出している。両取付部５２，５３は、上下方向と前後方向とによって画成される同一平面上に位置している。取付部５２，５３は、軸線方向の厚さが薄い板状であって、その先端部の外面には係止部５２ａ，５３ａが軸線方向外側に向けて突設されている。係止部５２ａ，５３ａによって、取付部５２，５３の先端部は部分的に厚肉となっている。第一の取付部５２と第二の取付部５３は、互いに上下に離間している。第一の取付部５２は上側に位置し、第二の取付部５３は下側に位置している。第一の取付部５２は、上側に向けて若干傾斜しつつ前側に延びている。第二の取付部５３は、上側に向けて第一の取付部５２よりも急な傾斜角度で傾斜しつつ前側に延びている。図５に、第一の取付部５２の突出方向５２ｂと第二の取付部５３の突出方向５３ｂをそれぞれ一点鎖線で示している。図５のようにサポート部材５０を左側から軸線方向に見たとき、第一の取付部５２の突出方向５２ｂと第二の取付部５３の突出方向５３ｂとは互いに平行ではなく非平行の関係にある。第一の取付部５２と第二の取付部５３は、互いの離間距離が徐々に小さくなるように突出しており、第一の取付部５２の突出方向５２ｂと第二の取付部５３の突出方向５３ｂは互いに交差する関係にある。
【００２８】
サポート部材５０は、第二のサイドカバー４２の内側に係止される。第二のサイドカバー４２は、その周縁部に軸線方向内側に延びる周壁部４２ａを有している。第二のサイドカバー４２の周壁部４２ａの内縁がフレーム４０の第二の内壁部４０ｂと接合する。そのため、第二のサイドカバー４２とフレーム４０の第二の内壁部４０ｂとの間には空間が画成される。第二のサイドカバー４２の周壁部４２ａの内縁とフレーム４０の第二の内壁部４０ｂとの間の接合部が、第二のサイドカバー４２とフレーム４０の第二の内壁部４０ｂとの境界部４３である。第二のサイドカバー４２の周壁部４２ａの内縁の後部には、第一の切欠部４２ｂと第二の切欠部４２ｃが形成されている。第一の切欠部４２ｂにサポート部材５０の第一の取付部５２が係合し、第二の切欠部４２ｃにサポート部材５０の第二の取付部５３が係合する。そして、第一の取付部５２の係止部５２ａと第二の取付部５３の係止部５３ａはそれぞれ第二のサイドカバー４２の周壁部４２ａの内面に係止する。
【００２９】
第二のサイドカバー４２に第一の切欠部４２ｂと第二の切欠部４２ｃが形成されていることにより、第二の側壁部３２の後端面３２ｃにおける第二のサイドカバー４２とフレーム４０の第二の内壁部４０ｂとの間の境界部４３（接合部）には、二つの挿通孔が形成される。第一の取付部５２と第二の取付部５３は、それぞれ第一の切欠部４２ｂと第二の切欠部４２ｃを通って第二の側壁部３２の内部に入り込んでいる。
【００３０】
以上のように構成された両軸受リール１では、第二の側壁部３２の後端部からサポート壁部５１が後側に向けて延びている。そのため、パーミング時に、ハンドル２１を持つ手とは反対側の手の平がサポート壁部５１に当接し、手の平との密着性が高まる。本実施形態では、右ハンドル仕様であるため、左手の手の平にサポート壁部５１が当接することになり、左手の手の平と両軸受リール１及びリールシート２との密着性が高まる。従って、釣り人はパーミング時に軽い力で両軸受リール１及び釣竿を把持することができ、釣り人の負担が軽減される。特に、両軸受リール１が大型になるほど第二の側壁部３２が釣竿から側方に離れて、第二の側壁部３２と釣竿との間の段差が大きくなるが、サポート壁部５１が設けられることでその段差が緩和されて、パーミング時のフィット感が向上する。
【００３１】
また、サポート部材５０が第二の側壁部３２とは別部材であるため、サポート壁部５１の形状等の設計自由度が高い。そして、そのサポート部材５０を第二のサイドカバー４２に係止する構成とすると、第二のサイドカバー４２をフレーム４０に取り付ける際に、第二のサイドカバー４２と共にサポート部材５０をフレーム４０に取り付けることができる。また、取付部５２，５３が第二のサイドカバー４２に係止されることにより、サポート部材５０の第二の側壁部３２からの抜けが防止される。特に、第一の取付部５２と第二の取付部５３とが互いに非平行となっているので、サポート部材５０が第二のサイドカバー４２から外れにくく、後側に抜けにくい。
【００３２】
更に、第二のサイドカバー４２の切欠部４２ｂ，４２ｃからサポート部材５０の取付部５２，５３が第二の側壁部３２の内部に入り込んでいるので、取付部５２，５３が目立ちにくく、パーミング時も邪魔になりにくい。しかも、第二のサイドカバー４２の周壁部４２ａの内縁に切欠部４２ｂ，４２ｃを設けているので、第二のサイドカバー４２の周壁部４２ａの内縁から離れた箇所に貫通孔を設ける構成に比して、第二のサイドカバー４２の作製が容易であり、合成樹脂から射出成形によって第二のサイドカバー４２を容易に作製できる。
【００３３】
尚、本実施形態では、第二のサイドカバー４２に切欠部４２ｂ，４２ｃを設けたが、フレーム４０の第二の内壁部４０ｂに切欠部を設けてもよい。第二のサイドカバー４２とフレーム４０の第二の内壁部４０ｂにそれぞれ切欠部を設けてもよい。何れにしても、第二のサイドカバー４２とフレーム４０の第二の内壁部４０ｂとの間の境界部４３に、サポート部材５０の取付部５２，５３が挿通できる挿通孔が形成されていればよい。
【００３４】
また、サポート部材５０の取付部５２，５３が第二のサイドカバー４２に係止されていたが、サポート部材５０の取付部５２，５３が第二のサイドカバー４２に係止されるのではなく、サポート部材５０の取付部５２，５３が第二のサイドカバー４２とフレーム４０の第二の内壁部４０ｂとにより左右に狭持されてもよい。また、サポート部材５０の取付部５２，５３が、第二のサイドカバー４２に係止されると共に第二のサイドカバー４２とフレーム４０の第二の内壁部４０ｂとによって狭持されてもよい。また、サポート部材５０の取付部５２，５３がフレーム４０の第二の内壁部４０ｂに係止されてもよい。
【００３５】
また、図１１から図１３に示すように、サポート部材５０の両取付部５２，５３が第二のサイドカバー４２にネジ止めされる構成であってもよい。両取付部５２，５３の先端部にそれぞれネジ挿通孔５２ｃ，５３ｃを形成する。第二のサイドカバー４２の内面には、第一のネジボス４２ｄと第二のネジボス４２ｅを設ける。両ネジボス４２ｄ，４２ｅは、それぞれ両切欠部４２ｂ，４２ｃの近傍に位置する。両ネジボス４２ｄ，４２ｅに、両取付部５２，５３を、第二サイドカバー４２の内面側からネジ止めする。尚、サポート部材５０の両取付部５２，５３がフレーム４０の第二の内壁部４０ｂにネジ止めされてもよい。
【００３６】
尚、上記実施形態では、右ハンドル仕様であったため、第一の側壁部３１が右側に位置し、第二の側壁部３２が左側に位置したが、左ハンドル仕様では、第一の側壁部３１が左側に位置し、第二の側壁部３２が右側に位置する。従って、左ハンドル仕様では、サポート部材５０も右側に位置する。また、第二の側壁部３２とは別部材のサポート部材５０を第二の側壁部３２に取り付ける構成であったが、サポート壁部５１が第二の側壁部３２に一体的に形成されていてもよい。例えば、サポート壁部５１が第二のサイドカバー４２の一部分として第二のサイドカバー４２に一体的に形成されていてもよいし、サポート壁部５１がフレーム４０に一体的に形成されていてもよい。また、サポート部材５０が、両軸受リール１を分解することなく、第二の側壁部３２に着脱可能であってもよく、釣り人が好みに応じてサポート部材５０を装着したり非装着としたりすることができる。サポート部材５０が、右ハンドル仕様と左ハンドル仕様の何れにも適用可能な左右兼用の構成であってもよい。
【符号の説明】
【００３７】
１    両軸受リール
２    リールシート
３    竿本体
１０    リールシート本体
１１    可動フード
１４    固定フード部
１５    雄ネジ部
１６    トリガー
２０    リール本体
２１    ハンドル
２２    スプール
３０    連結部
３０ａ  リール脚
３１    第一の側壁部
３１ａ  内側面
３１ｂ  外側面
３２    第二の側壁部
３２ａ  内側面
３２ｂ  外側面
３２ｃ  後端面
３２ｄ  最下部
３２ｅ  最後部
４０    フレーム
４０ａ  第一の内壁部
４０ｂ  第二の内壁部（内側部材）
４０ｃ  連結部
４１    第一のサイドカバー
４２    第二のサイドカバー（外側部材）
４２ａ  周壁部
４２ｂ  第一の切欠部
４２ｃ  第二の切欠部
４２ｄ  ネジボス
４２ｅ  ネジボス
４３    境界部
５０    サポート部材
５１    サポート壁部
５１ａ  前端面
５１ｂ  後端面
５１ｃ  下端面
５２    第一の取付部
５２ａ  係止部
５２ｂ  突出方向
５２ｃ  ネジ挿通孔
５３    第二の取付部
５３ａ  係止部
５３ｂ  突出方向
５３ｃ  ネジ挿通孔
５４    内方延在部
５４ａ  内縁
５４ｂ  上縁
【図１】
2019180375.tif 000003
【図２】
2019180375.tif 000004
【図３】
2019180375.tif 000005
【図４】
2019180375.tif 000006
【図５】
2019180375.tif 000007
【図６】
2019180375.tif 000008
【図７】
2019180375.tif 000009
【図８】
2019180375.tif 000010
【図９】
2019180375.tif 000011
【図１０】
2019180375.tif 000012
【図１１】
2019180375.tif 000013
【図１２】
2019180375.tif 000014
【図１３】
2019180375.tif 000015